(57)【要約】【課題】オーディオシステムにおける複数のオーディオ装置の状態に応じて放音する。【解決手段】携帯オーディオ機器は、第１オーディオデータに基づいて放音し（ＳＡ１）、自装置にイヤフォンが接続されているか否かを判断する（ＳＡ２）。イヤフォンが接続されている場合、携帯オーディオ機器は、第２オーディオデータに変更しない限りは、放音を継続する（ＳＡ４〜ＳＡ８）。イヤフォンが接続されていなければ（ＳＡ２；ＮＯ）、携帯オーディオ機器はオーディオプレーヤにその旨を示す接続情報を送信し（ＳＡ８）、第１オーディオデータに基づく放音をオーディオプレーヤに行わせるよう、放音データを生成して送信する（ＳＡ９〜ＳＡ１２）。オーディオプレーヤはイヤフォンが接続されていないことを示す接続情報を受信すると、その後に受信した放音データに従って放音する。【選択図】図６
2012114851.tif 000002
【特許請求の範囲】
【請求項１】
オーディオデータを送受信する外部装置と無線通信するオーディオ装置であって、
前記外部装置により送信されたオーディオデータを受信するオーディオ受信手段と、
自装置内のオーディオデータを取得する取得手段と、
着脱可能な放音機器が自装置に接続されているか否かを検知する検知手段と、
前記検知手段により前記放音機器の接続が検知された場合、前記オーディオ受信手段により受信されたオーディオデータ、又は前記取得手段が取得したオーディオデータに基づいて前記放音機器に放音させる放音制御手段と、
前記取得したオーディオデータに基づいて前記放音機器に放音させているときに、前記検知手段により前記放音機器の接続が切断されたことが検知された場合、前記取得手段が取得したオーディオデータを前記外部装置宛てに送信するオーディオ送信手段と
を備えることを特徴とするオーディオ装置。
【請求項２】
前記放音制御手段は、前記取得したオーディオデータを前記オーディオ送信手段が送信する期間において、前記放音機器での当該オーディオデータに基づく放音を停止し、
前記オーディオ送信手段は、前記放音機器が放音する期間において、前記取得したオーディオデータを送信しない
ことを特徴とする請求項１に記載のオーディオ装置。
【請求項３】
オーディオデータを送受信するとともに着脱可能な放音機器が接続される外部装置と無線通信するオーディオ装置であって、
前記外部装置に前記放音機器が接続されているか否かを示す接続情報を当該外部装置から受信する接続情報受信手段と、
前記外部装置により送信されたオーディオデータを受信するオーディオ受信手段と、
自装置内のオーディオデータを取得する取得手段と、
前記オーディオ受信手段により受信されたオーディオデータ、又は前記取得手段が取得したオーディオデータに基づいて、自装置で放音するよう制御する放音制御手段と、
前記取得したオーディオデータに基づいて自装置で放音するときに前記接続情報受信手段により受信された接続情報が前記接続が開始されたことを示す場合、前記取得手段が取得したオーディオデータを前記外部装置宛てに送信するオーディオ送信手段と
を備えることを特徴とするオーディオ装置。
【請求項４】
前記放音制御手段は、前記取得したオーディオデータを前記オーディオ送信手段が送信する期間において、自装置での当該オーディオデータに基づく放音を停止させ、
前記オーディオ送信手段は、自装置で放音する期間において、前記取得したオーディオデータを送信しない
ことを特徴とする請求項３に記載のオーディオ装置。
【請求項５】
相互に無線通信を行い、各々、オーディオデータを送受信する第１オーディオ装置と第２オーディオ装置とを備え、
前記第１オーディオ装置は、
前記第２オーディオ装置により送信されたオーディオデータを受信する第１オーディオ受信手段と、
自装置内のオーディオデータを取得する第１取得手段と、
着脱可能な放音機器が自装置に接続されているか否かを検知する検知手段と、
前記検知手段の検知結果を示す接続情報を第２オーディオ装置宛てに送信する接続情報送信手段と、
前記検知手段により前記放音機器の接続が検知された場合、前記第１オーディオ受信手段により受信されたオーディオデータ、又は前記第１取得手段が取得したオーディオデータに基づいて前記放音機器に放音させる第１放音制御手段と、
前記第１取得手段が取得したオーディオデータに基づいて前記放音機器に放音させているときに、前記検知手段により前記放音機器の接続が切断されたことが検知された場合、前記第１取得手段が取得したオーディオデータを前記第２オーディオ装置宛てに送信する第１オーディオ送信手段と
を有し、
前記第２オーディオ装置は、
前記接続情報送信手段により送信された接続情報を受信する接続情報受信手段と、
前記第１オーディオ送信手段により送信されたオーディオデータを受信する第２オーディオ受信手段と、
自装置内のオーディオデータを取得する第２取得手段と、
前記第２オーディオ受信手段により受信されたオーディオデータ、又は前記第２取得手段が取得したオーディオデータに基づいて、自装置で放音するよう制御する第２放音制御手段と、
前記第２取得手段が取得したオーディオデータに基づいて自装置で放音するときに前記接続情報受信手段により受信された接続情報が前記接続が開始されたことを示す場合、前記第２取得手段が取得したオーディオデータを前記第１オーディオ装置宛てに送信する第２オーディオ送信手段と
を有することを特徴とするオーディオシステム。
【発明の詳細な説明】
【技術分野】
【０００１】
本発明は、無線接続されたオーディオ装置の放音制御に関する。
【背景技術】
【０００２】
放音機能を有している外部との接続の有無に応じて、音声信号の出力先を自動で切り替える技術がある。特許文献１は、ワイヤレス受信機がスピーカ装置の機器装着部に装着された場合には、ワイヤレス受信機がスピーカ装置に音声出力させ、ワイヤレス受信機が機器装着部に装着されない場合には、ワイヤレス受信機が自機に接続されたヘッドフォンから音声出力することを開示している。
【先行技術文献】
【特許文献】
【０００３】
【特許文献１】特開２００８−１７２５５１号公報
【発明の概要】
【発明が解決しようとする課題】
【０００４】
特許文献１が開示する技術は、ワイヤレス受信機が放音に関する制御を実行し、スピーカ装置やヘッドフォンはその制御に従って放音するものである。一方で、オーディオシステムを構成する各オーディオ装置が放音に関する制御を実行する構成の下で、ユーザの利用に適した放音制御を行えば、ユーザの利便性を向上させることが期待できる。
これに対し、本発明の目的は、オーディオシステムにおける複数のオーディオ装置の状態に応じて放音する仕組みを提供することである。
【課題を解決するための手段】
【０００５】
上述した目的を達成するために、本発明のオーディオ装置は、オーディオデータを送受信する外部装置と無線通信するオーディオ装置であって、前記外部装置により送信されたオーディオデータを受信するオーディオ受信手段と、自装置内のオーディオデータを取得する取得手段と、着脱可能な放音機器が自装置に接続されているか否かを検知する検知手段と、前記検知手段により前記放音機器の接続が検知された場合、前記オーディオ受信手段により受信されたオーディオデータ、又は前記取得手段が取得したオーディオデータに基づいて前記放音機器に放音させる放音制御手段と、前記取得したオーディオデータに基づいて前記放音機器に放音させているときに、前記検知手段により前記放音機器の接続が切断されたことが検知された場合、前記取得手段が取得したオーディオデータを前記外部装置宛てに送信するオーディオ送信手段とを備えることを特徴とする。
【０００６】
本発明の好ましい態様において、前記放音制御手段は、前記取得したオーディオデータを前記オーディオ送信手段が送信する期間において、前記放音機器での当該オーディオデータに基づく放音を停止し、前記オーディオ送信手段は、前記放音機器が放音する期間において、前記取得したオーディオデータを送信しない。
【０００７】
また、本発明のオーディオ装置は、オーディオデータを送受信するとともに着脱可能な放音機器が接続される外部装置と無線通信するオーディオ装置であって、前記外部装置に前記放音機器が接続されているか否かを示す接続情報を当該外部装置から受信する接続情報受信手段と、前記外部装置により送信されたオーディオデータを受信するオーディオ受信手段と、自装置内のオーディオデータを取得する取得手段と、前記オーディオ受信手段により受信されたオーディオデータ、又は前記取得手段が取得したオーディオデータに基づいて、自装置で放音するよう制御する放音制御手段と、前記取得したオーディオデータに基づいて自装置で放音するときに前記接続情報受信手段により受信された接続情報が前記接続が開始されたことを示す場合、前記取得手段が取得したオーディオデータを前記外部装置宛てに送信するオーディオ送信手段とを備えることを特徴とする。
【０００８】
本発明の好ましい態様において、前記放音制御手段は、前記取得したオーディオデータを前記オーディオ送信手段が送信する期間において、自装置での当該オーディオデータに基づく放音を停止させ、前記オーディオ送信手段は、自装置で放音する期間において、前記取得したオーディオデータを送信しない。
【０００９】
また、本発明のオーディオシステムは、相互に無線通信を行い、各々、オーディオデータを送受信する第１オーディオ装置と第２オーディオ装置とを備え、前記第１オーディオ装置は、前記第２オーディオ装置により送信されたオーディオデータを受信する第１オーディオ受信手段と、自装置内のオーディオデータを取得する第１取得手段と、着脱可能な放音機器が自装置に接続されているか否かを検知する検知手段と、前記検知手段の検知結果を示す接続情報を第２オーディオ装置宛てに送信する接続情報送信手段と、前記検知手段により前記放音機器の接続が検知された場合、前記第１オーディオ受信手段により受信されたオーディオデータ、又は前記第１取得手段が取得したオーディオデータに基づいて前記放音機器に放音させる第１放音制御手段と、前記第１取得手段が取得したオーディオデータに基づいて前記放音機器に放音させているときに、前記検知手段により前記放音機器の接続が切断されたことが検知された場合、前記第１取得手段が取得したオーディオデータを前記第２オーディオ装置宛てに送信する第１オーディオ送信手段とを有し、前記第２オーディオ装置は、前記接続情報送信手段により送信された接続情報を受信する接続情報受信手段と、前記第１オーディオ送信手段により送信されたオーディオデータを受信する第２オーディオ受信手段と、自装置内のオーディオデータを取得する第２取得手段と、前記第２オーディオ受信手段により受信されたオーディオデータ、又は前記第２取得手段が取得したオーディオデータに基づいて、自装置で放音するよう制御する第２放音制御手段と、前記第２取得手段が取得したオーディオデータに基づいて自装置で放音するときに前記接続情報受信手段により受信された接続情報が前記接続が開始されたことを示す場合、前記第２取得手段が取得したオーディオデータを前記第１オーディオ装置宛てに送信する第２オーディオ送信手段とを有することを特徴とする。
【発明の効果】
【００１０】
本発明によれば、オーディオシステムにおける複数のオーディオ装置の状態に応じて放音することができる。
【図面の簡単な説明】
【００１１】
【図１】オーディオシステムの概略構成を示す図
【図２】無線通信端末のハードウェア構成を示すブロック図
【図３】オーディオプレーヤのハードウェア構成を示すブロック図
【図４】オーディオシステムの放音制御の概要を説明する図
【図５】オーディオシステムの機能的構成を示す機能ブロック図
【図６】携帯オーディオ機器における処理の流れを示すフローチャート
【図７】携帯オーディオ機器における処理の流れを示すフローチャート
【図８】オーディオプレーヤにおける処理の流れを示すフローチャート
【図９】オーディオプレーヤにおける処理の流れを示すフローチャート
【発明を実施するための形態】
【００１２】
［実施形態］
図１は、オーディオシステム１の概略構成を示す図である。
オーディオシステム１は、携帯オーディオ機器１０とオーディオプレーヤ２０とを備える。携帯オーディオ機器１０は、本発明の第１オーディオ装置の一例であり、ここではスマートフォンである。オーディオプレーヤ２０は、本発明の第２オーディオ装置の一例である。携帯オーディオ機器１０及びオーディオプレーヤ２０は、それぞれ楽音再生機能を有し、相互に無線通信してオーディオデータに基づいて放音するための制御を実行するものである。携帯オーディオ機器１０とオーディオプレーヤ２０との間には無線通信路が確立され、この無線通信路を介して相互に情報の遣り取りが可能である。携帯オーディオ機器１０及びオーディオプレーヤ２０は、各々、オーディオデータをパケット化して無線通信路を介して相手方の装置に送信する。このパケット化されたオーディオデータは、相手方の装置が放音するときに用いるオーディオデータであり、以下では「放音データ」と称する。本実施形態の放音データは、放音の指示の内容を含む情報であればよい。
なお、本実施形態では、携帯オーディオ機器１０と及びオーディオプレーヤ２０をそれぞれ１つずつとして説明するが、それぞれ複数存在してもよい。また、本発明の外部装置は、携帯オーディオ機器１０からみたオーディオプレーヤ２０、又はオーディオプレーヤ２０からみた携帯オーディオ機器１０のいずれかに相当する。
【００１３】
図２は、携帯オーディオ機器１０のハードウェア構成を示すブロック図である。図２に示すように、携帯オーディオ機器１０は、制御部１１と、ＵＩ（User Interface）部１２と、無線通信部１３と、音声入出力部１４と、接続端子１５と、記憶部１６とを備える。
制御部１１は、ＣＰＵ（Central Processing Unit）を含む演算装置やメモリを備える制御手段である。演算装置は、メモリや記憶部１６に記憶されたプログラムを実行することにより、携帯オーディオ機器１０の動作を制御する。ＵＩ部１２は、タッチパネルを備え、ユーザからの操作を受け付ける操作手段と、画像により情報を報知する表示手段としての機能を兼ね備えるものである。無線通信部１３は、無線通信回路やアンテナを備え、オーディオプレーヤ２０に無線接続するためのインタフェースである。無線通信部１３は、制御部１１の制御の下で、無線通信により情報の送受信を行う。音声入出力部１４は、受話音声などを収音するマイクロホンや送話音声などを放音するスピーカを備え、携帯オーディオ機器１０における音声の入出力に関する機能を実現する。接続端子１５は、携帯オーディオ機器１０に着脱可能な放音機器であるイヤフォン１００が接続される端子である。接続端子１５は、例えば、イヤフォン１００のプラグが差し込まれるジャックである。イヤフォン１００は、制御部１１により再生された楽音信号が供給されると、その楽音信号に応じて放音する。
なお、携帯オーディオ機器１０に接続される放音機器は、この実施形態ではイヤフォン１００であるが、これ以外にもヘッドフォンやスピーカ等であってもよい。要するに、本発明の放音機器は、接続端子１５を介して携帯オーディオ機器１０から供給される楽音信号に応じて放音するものであればよい。
【００１４】
記憶部１６は、例えばＥＥＰＲＯＭ（Electronically Erasable and Programmable ROM）を備え、制御部１１が用いる各種のプログラムや第１オーディオデータ１６１を記憶する。第１オーディオデータ１６１は、本発明の第１オーディオデータの一例であり、複数の各楽曲の楽器演奏や歌唱などによって発生する音が時系列的に規定されたデータである。第１オーディオデータ１６１は、例えば、アナログ形式の音声信号が特定のサンプリング周波数に従って標本化された後、量子化されたデジタルデータを表す。
なお、第１オーディオデータ１６１のデータ構造は、本発明において特定の構造に限定されず、第１オーディオデータ１６１は楽音信号が生成される基となるものであればよい。
【００１５】
図３は、オーディオプレーヤ２０のハードウェア構成を示すブロック図である。図３に示すように、オーディオプレーヤ２０は、制御部２１と、ディスクドライブ２２と、無線通信部２３と、操作部２４と、表示部２５と、スピーカ２６とを備える。
制御部２１は、ＣＰＵを含む演算装置やメモリを備える制御手段である。演算装置は、メモリに記憶されたプログラムを実行することにより、オーディオプレーヤ２０の動作を制御する。ディスクドライブ２２は、ＣＤ（Compact Disk）等の光ディスクに記録された情報を読み出し、読み出した情報を制御部１１に出力する。ディスクドライブ２２にセットされた光ディスクに記録されるオーディオデータを、この実施形態では、第２オーディオデータ２２１とする。第２オーディオデータ２２１は、本発明の第２オーディオデータの一例であり、複数の各楽曲の楽器演奏や歌唱などによって発生する音が時系列的に規定されたデータである。第２オーディオデータ２２１の構造についても、本発明において特定の構造に限定されず、第２オーディオデータ２２１は楽音信号が生成される基となるものであればよい。
【００１６】
無線通信部２３は、携帯オーディオ機器１０に無線接続するためのインタフェースである。無線通信部２３は、制御部２１の制御の下で、無線通信により情報の送受信を行う。操作部２４は、ユーザの操作を受け付ける操作スイッチを備え、受け付けた操作に応じて操作信号を制御部２１に出力する。表示部２５は、オーディオプレーヤ２０の前面に表示領域を有する表示手段であり、例えば蛍光表示管である。スピーカ２６は、Ｌ，Ｒのスピーカからなるステレオのスピーカであり、制御部２１により再生された楽音信号に応じて放音する放音手段である。
以上の構成のオーディオシステム１では、図４に示す表に記述された規則に従って放音制御が実現される。
【００１７】
図４は、オーディオシステム１における放音制御の概要を説明する図である。
図４に示すように、オーディオシステム１における放音制御は、「イヤフォン」及び「音源」で示される条件により定まる。「イヤフォン」は、携帯オーディオ機器１０に対するイヤフォン１００の接続の有無を示す条件である。「音源」は、携帯オーディオ機器１０又はオーディオプレーヤ２０のどちらの音源を用いるかを示す条件である。具体的には、本実施形態では、携帯オーディオ機器１０を音源とする場合とは、第１オーディオデータ１６１に基づいて放音する場合のことであり、オーディオプレーヤ２０を音源とする場合とは、第２オーディオデータ２２１に基づいて放音する場合のことである。本実施形態の音源は、携帯オーディオ機器１０又はオーディオプレーヤ２０内にあるものであり、携帯オーディオ機器１０とオーディオプレーヤ２０との間の無線通信路を介して遣り取りされる放音データは、第１オーディオデータ１６１又は第２オーディオデータ２２１を無線で送受信する際に生成するデータを表している。
【００１８】
図４に示すように、音源が携帯オーディオ機器１０である場合に、イヤフォン１００が携帯オーディオ機器１０に接続されているときは、携帯オーディオ機器１０のイヤフォンにて放音し、イヤフォン１００が接続されていないときは、オーディオプレーヤ２０のスピーカにて放音する。また、音源がオーディオプレーヤ２０である場合に、イヤフォン１００が携帯オーディオ機器１０に接続されているときには、携帯オーディオ機器１０のイヤフォンから放音し、イヤフォン１００が接続されていないときには、オーディオプレーヤ２０のスピーカから放音する。以上のように、携帯オーディオ機器１０及びオーディオプレーヤ２０は、「イヤフォン」及び「音源」で示される条件に応じて、これら４つの動作モードのいずれかに従って動作するものである。
音源となる装置と放音する装置とが異なる場合、音源となる装置が放音データを生成して放音する装置宛てに送信し、放音する装置は受信した放音データに基づいて放音する。具体的には、携帯オーディオ機器１０は、オーディオプレーヤ２０から受信した放音データに従って、第２オーディオデータ２２１に基づいて放音する。また、オーディオプレーヤ２０は、携帯オーディオ機器１０から受信した放音データに従って、第１オーディオデータ１６１に基づいて放音する。
【００１９】
図５は、オーディオシステム１の機能的構成を示す機能ブロック図である。携帯オーディオ機器１０では制御部１１がプログラムを実行することにより、携帯オーディオ機器１０は、第１取得部１０１と、接続検知部１０２と、接続情報送信部１０３と、第１オーディオ受信部１０４と、第１放音制御部１０５と、第１オーディオ送信部１０６とに相当する機能を実現する。
第１取得部１０１は、本発明の第１取得手段（取得手段）の一例であり、携帯オーディオ機器１０内のオーディオデータを取得する。ここでは、第１取得部１０１は、第１オーディオデータ１６１を記憶部１６から読み出してこれを取得する。
【００２０】
接続検知部１０２は、本発明の検知手段の一例であり、接続端子１５にイヤフォン１００が接続されているか否かを検知する。接続検知部１０２は、例えばインピーダンスを監視してイヤフォン１００の接続の有無を検知する。
接続情報送信部１０３は、本発明の接続情報送信手段の一例であり、接続検知部１０２の検知結果に応じて、接続端子１５にイヤフォン１００が接続されているか否かを示す接続情報を送信する。
【００２１】
第１オーディオ受信部１０４は、本発明の第１オーディオ受信手段（オーディオ受信手段）の一例であり、オーディオプレーヤ２０（より具体的には、後述する第２オーディオ送信部２０５）により送信された放音データを受信する。
【００２２】
第１放音制御部１０５は、本発明の第１放音制御手段（放音制御手段）の一例であり、携帯オーディオ機器１０における放音に関する制御を司るものである。第１放音制御部１０５は、接続検知部１０２でイヤフォン１００が接続端子１５に接続されていると検知された場合、第１オーディオ受信部１０４により受信された放音データ、又は第１取得部１０１が取得した第１オーディオデータ１６１に基づいてイヤフォン１００に放音させる。このとき、第１放音制御部１０５は、いずれか一方のオーディオデータを用いて楽音信号を生成し、生成した楽音信号を、接続端子１５を介してイヤフォン１００に出力する。
【００２３】
第１オーディオ送信部１０６は、本発明の第１オーディオ送信手段（オーディオ送信手段）の一例であり、第１放音制御部１０５が第１オーディオデータ１６１に基づいてイヤフォン１００に放音させているときに、接続検知部１０２によりイヤフォン１００の接続が切断されたことが検知された場合、第１オーディオデータ１６１に基づいて生成した放音データをオーディオプレーヤ２０宛てに送信する。換言すると、第１オーディオ送信部１０６は、イヤフォン１００が携帯オーディオ機器１０に接続された状態から接続されない状態に変化したことを契機に、第１オーディオデータ１６１を放音データという形式で送信する。
携帯オーディオ機器１０における以上の機能のうち、第１取得部１０１、接続検知部１０２及び第１放音制御部１０５は、制御部１１により実現され、接続情報送信部１０３、第１オーディオ受信部１０４及び第１オーディオ送信部１０６は、制御部１１及び無線通信部１３の協働により実現される。
【００２４】
オーディオプレーヤ２０では、制御部２１がプログラムを実行することにより、携帯オーディオ機器１０は、第２取得部２０１と、接続情報受信部２０２と、第２オーディオ受信部２０３と、第２放音制御部２０４と、第２オーディオ送信部２０５とに相当する機能を実現する。
第２取得部２０１は、本発明の第２取得手段（取得手段）の一例であり、オーディオプレーヤ２０内のオーディオデータを取得する。ここでは、第２取得部２０１は、オーディオプレーヤ２０で放音される対象となる第２オーディオデータ２２１を、ディスクドライブ２２にセットされた光ディスクから読み出して、これを取得する。
【００２５】
接続情報受信部２０２は、本発明の接続情報受信手段の一例であり、接続情報送信部１０３により送信された接続情報を受信する。
第２オーディオ受信部２０３は、本発明の第２オーディオ受信手段（オーディオ受信手段）の一例であり、第１オーディオ送信部１０６により送信された放音データを受信する。
【００２６】
第２放音制御部２０４は、本発明の第２放音制御手段（放音制御手段）の一例であり、オーディオプレーヤ２０における放音に関する制御を司るものである。第２放音制御部２０４は、第２オーディオ受信部２０３により受信された放音データ、又は第２取得部２０１が取得した第２オーディオデータ２２１に基づいて放音する。このとき、第２放音制御部２０４は、いずれか一方のオーディオデータを用いて楽音信号を生成し、生成した楽音信号を、スピーカ２６に出力する。
【００２７】
第２オーディオ送信部２０５は、本発明の第２オーディオ送信手段（オーディオ送信手段）の一例であり、第２オーディオデータ２２１に基づいてオーディオプレーヤ２０で放音するときに接続情報受信部２０２により受信された接続情報が、イヤフォン１００の接続が開始されたことを示す場合、第２オーディオデータ２２１に基づいて生成した放音データを携帯オーディオ機器１０宛てに送信する。換言すると、第２オーディオ送信部２０５は、イヤフォン１００が携帯オーディオ機器１０に接続されない状態から接続された状態に変化したことを契機に、第２オーディオデータ２２１を放音データという形式で送信する。
オーディオプレーヤ２０における以上の機能のうち、第２取得部２０１及び第２放音制御部２０４は、制御部２１により実現され、接続情報受信部２０２、第２オーディオ受信部２０３及び第２オーディオ送信部２０５は、制御部２１及び無線通信部２３の協働により実現される。
【００２８】
以上のようなオーディオシステム１にあっては、イヤフォン１００の接続の有無と音源の場所とに応じて、一方の装置から他方の装置の片方向に放音データが送られ、それ以外の情報（例えば、接続情報の送信要求）については、双方向に情報の遣り取りが可能である。
次に、オーディオシステム１の動作について説明する。以下、携帯オーディオ機器１０及びオーディオプレーヤ２０の動作をそれぞれ分けて説明する。
【００２９】
（１）携帯オーディオ機器１０の動作
図６，７は、携帯オーディオ機器１０における処理の流れを示すフローチャートである。
携帯オーディオ機器１０の制御部１１は、ユーザによりＵＩ部１２が操作されて第１オーディオデータ１６１に基づいて放音を開始すると（ステップＳＡ１）、接続端子１５にイヤフォン１００が接続されているか否かを判断する（ステップＳＡ２）。制御部１１は、接続端子１５へのイヤフォン１００のプラグの接続の有無を検知して、イヤフォン１００の接続状態を判断する。
【００３０】
次に、制御部１１は、接続端子１５にイヤフォン１００が接続されていると判断すると（ステップＳＡ２；ＹＥＳ）、第１オーディオデータ１６１に基づいて、イヤフォン１００を用いて放音する（ステップＳＡ３）。次に、制御部１１は、イヤフォン１００の接続状態が変化したか否かを判断する（ステップＳＡ４）。ここでは、制御部１１は、接続端子１５とイヤフォン１００との接続が切断されたか否かを判断することとなる。制御部１１は、イヤフォン１００の接続状態が変化していないと判断すると（ステップＳＡ４；ＮＯ）、第１オーディオデータ１６１から第２オーディオデータ２２１に変更して放音するか否かを判断する（ステップＳＡ５）。例えば、制御部１１は、オーディオプレーヤ２０から放音データの送信が開始される場合など、自装置で第２オーディオデータ２２１に基づく放音を開始する場合に、ステップＳＡ５の処理で「ＹＥＳ」と判断することになる。
制御部１１は、ステップＳＡ５の処理で「ＮＯ」と判断した場合、第１オーディオデータ１６１に基づく放音を終了するか否かを判断する（ステップＳＡ６）。ここで、制御部１１は、この放音を継続する場合、ステップＳＡ６の処理で「ＮＯ」と判断し、ステップＳＡ３の処理に戻る。一方、制御部１１は、ユーザのＵＩ部１２の操作により放音を終了することが指示されたり、第１オーディオデータ１６１に従ってすべての内容を放音し終えたりした場合、この放音を終了すると判断して（ステップＳＡ６；ＹＥＳ）、全処理を終了する。
【００３１】
制御部１１は、ステップＳＡ３の処理に応じてイヤフォン１００で放音し、ステップＳＡ４の処理でイヤフォン１００の接続状態が変化したと判断すると（ステップＳＡ４；ＹＥＳ）、すなわち、携帯オーディオ機器１０とイヤフォン１００との接続が切断されたと判断すると、イヤフォン１００での放音を停止する（ステップＳＡ７）。そして、制御部１１は、ステップＳＡ２の処理に戻る。ここでは、制御部１１は、携帯オーディオ機器１０にイヤフォン１００が接続されていないと判断する（ステップＳＡ２；ＮＯ）。
【００３２】
制御部１１は、ステップＳＡ２の処理で「ＮＯ」と判断すると、接続端子１５へのイヤフォン１００への接続の有無を示す接続情報を無線通信部１３により送信する（ステップＳＡ８）。ここでは、制御部１１は、接続端子１５にイヤフォン１００が接続されていないことを示す接続情報を送信する。次に、制御部１１は、オーディオプレーヤ２０に第１オーディオデータ１６１に基づく放音を行わせるべく、放音データを生成して、無線通信部１３によりオーディオプレーヤ２０宛てに送信する（ステップＳＡ９）。具体的には、制御部１１は、第１オーディオデータ１６１をパケット化した放音データを生成して送信する。
制御部１１は、イヤフォン１００の携帯オーディオ機器１０への接続が切断されたことが検知されると、第１オーディオデータ１６１に基づく楽音信号の生成など、イヤフォン１００に放音させるための制御を停止する。これにより、携帯オーディオ機器１０での放音中にイヤフォン１００が取り外されたことを、ユーザがイヤフォン１００を用いないで聴取することを望んでいるとみなして、制御部１１その放音をオーディオプレーヤ２０に引き継がせることができる。
【００３３】
次に、制御部１１は、イヤフォン１００の接続状態が変化したか否かを判断する（ステップＳＡ１０）。ここでは、制御部１１は、接続端子１５とイヤフォン１００との接続が開始されたか否かを判断する。制御部１１は、第１オーディオデータ１６１に基づく放音中にイヤフォン１００の接続状態が変化したと判断すると（ステップＳＡ１０；ＹＥＳ）、放音データの生成及び送信を停止して（ステップＳＡ１３）、ステップＳＡ２の処理に戻る。この場合、制御部１１は、ステップＳＡ２の処理で「ＹＥＳ」と判定することとなる。
一方、制御部１１は、ステップＳＡ１０の処理でイヤフォン１００の接続状態が変化していないと判断すると（ステップＳＡ１０；ＮＯ）、第１オーディオデータ１６１から第２オーディオデータ２２１に変更して放音するか否かを判断する（ステップＳＡ１１）。ここでの判断は、ステップＳＡ５の処理と同じ条件に基づいて行われる。
制御部１１は、ステップＳＡ１１の処理で「ＮＯ」と判断した場合、第１オーディオデータ１６１に基づく放音を終了するか否かを判断する（ステップＳＡ１２）。ここで、制御部１１は、この放音を継続する場合には、ステップＳＡ１２の処理で「ＮＯ」と判断し、ステップＳＡ９の処理に戻る。一方、制御部１１は、放音を終了すると判断した場合（ステップＳＡ１２；ＹＥＳ）、全処理を終了する。
なお、以上の動作手順に従えば、制御部１１はイヤフォン１００に放音させるための制御を行っているときは、放音データを生成及び送信しないこととなる。つまり、携帯オーディオ機器１０は電源がオンした状態のまま、ミュート処理に移行したことに等しい。また、制御部１１は、イヤフォン１００の接続が切断された後に、その接続の開始が検知されると、イヤフォン１００の放音させるための制御を再開することになる。このようにする理由は、イヤフォン１００が携帯オーディオ機器１０に接続されたということは、ユーザが携帯オーディオ機器１０を用いて楽音を聴こうとしていると推測されるからである。
【００３４】
ところで、制御部１１は、ステップＳＡ５又はＳＡ１１の処理で、第１オーディオデータ１６１から第２オーディオデータ２２１に変更すると判断すると（ステップＳＡ５；ＹＥＳ又はステップＳＡ１１；ＹＥＳ）、図７に示される処理フローを実行することとなる。続いて、図７を参照しつつ、携帯オーディオ機器１０の動作を説明する。
【００３５】
制御部１１は、ステップＳＡ５又はＳＡ１１の処理で「ＹＥＳ」と判断すると、オーディオプレーヤ２０から放音データを無線通信部１３により受信して、受信した放音データに従って、第２オーディオデータ２２１に基づく放音を開始する（ステップＳＡ２１）。次に、制御部１１は、接続端子１５にイヤフォン１００が接続されているか否かを判断する（ステップＳＡ２２）。ここで、制御部１１は、イヤフォン１００が接続されていると判断すると（ステップＳＡ２２；ＹＥＳ）、そのときのイヤフォン１００の接続状態（つまり、接続されていること）を示す接続情報と、放音データの送信要求とを、無線通信部１３によりオーディオプレーヤ２０宛てに送信する（ステップＳＡ２３）。そして、制御部１１は、この送信要求に応じてオーディオプレーヤ２０から送信されてきた放音データを無線通信部１３によって受信すると、この放音データを用いて、第２オーディオデータ２２１に基づいてイヤフォン１００で放音する（ステップＳＡ２４）。
【００３６】
次に、制御部１１は、イヤフォン１００の接続状態が変化したか否かを判断する（ステップＳＡ２５）。制御部１１は、イヤフォン１００の接続状態が変化していないと判断すると（ステップＳＡ２５；ＮＯ）、第２オーディオデータ２２１から第１オーディオデータ１６１に変更して放音するか否かを判断する（ステップＳＡ２６）。例えば、制御部１１は、第１オーディオデータ１６１に基づく放音がＵＩ部１２を介してユーザに指示された場合など、その放音を開始する場合に、ステップＳＡ２６の処理で「ＹＥＳ」と判断することになる。
制御部１１は、ステップＳＡ２６の処理で「ＮＯ」と判断した場合、第２オーディオデータ２２１に基づく放音を終了するか否かを判断する（ステップＳＡ２７）。ここで、制御部１１は、この放音を継続する場合には、ステップＳＡ２７の処理で「ＮＯ」と判断し、ステップＳＡ２３の処理に戻る。一方、制御部１１は、放音を終了すると判断した場合（ステップＳＡ２７；ＹＥＳ）、全処理を終了する。
【００３７】
制御部１１は、ステップＳＡ２３の処理に応じてイヤフォン１００で放音しているときに、ステップＳＡ２４の処理でイヤフォン１００の接続状態が変化したと判断すると（ステップＳＡ２５；ＹＥＳ）、すなわち、携帯オーディオ機器１０とイヤフォン１００との接続が切断されたと判断すると、イヤフォン１００での放音を停止する（ステップＳＡ２８）。そして、制御部１１は、ステップＳＡ２２の処理に戻る。ここでは、制御部１１は、携帯オーディオ機器１０にイヤフォン１００が接続されていないと判断することとなる（ステップＳＡ２２；ＮＯ）。
【００３８】
制御部１１は、ステップＳＡ２２の処理で「ＮＯ」と判断すると、イヤフォン１００の接続状態が変化したか否かを判断する（ステップＳＡ２９）。制御部１１は、イヤフォン１００の接続状態が変化していないと判断すると（ステップＳＡ２９；ＮＯ）、第２オーディオデータ２２１から第１オーディオデータ１６１に変更して放音するか否かを判断する（ステップＳＡ３０）。ここでの判断は、ステップＳＡ２６の処理と同じ条件に基づいて行われる。
制御部１１は、ステップＳＡ３０の処理で「ＮＯ」と判断した場合、第２オーディオデータ２２１に基づく放音を終了するか否かを判断する（ステップＳＡ３１）。ここで、制御部１１は、この放音を継続する場合には、ステップＳＡ３１の処理で「ＮＯ」と判断し、ステップＳＡ２９の処理に戻る。一方、制御部１１は、放音を終了すると判断すると（ステップＳＡ３１；ＹＥＳ）、全処理を終了する。
なお、制御部１１は、ステップＳＡ２９の処理でイヤフォンの接続状態が変化したと判断すると（ステップＳＡ２９；ＹＥＳ）、ステップＳＡ２２の処理に戻る。また、制御部１１は、ステップＳＡ２６又はＳＡ３０の処理で、第２オーディオデータ２２１から第１オーディオデータ１６１に変更すると判断すると（ステップＳＡ２６；ＹＥＳ又はステップＳＡ３０；ＹＥＳ）、図６に示される処理フローを実行することとなる。これにより、例えばイヤフォン１００が携帯オーディオ機器１０に接続されたことを契機に、制御部１１は、第１オーディオデータ１６１に基づく放音を携帯オーディオ機器１０に戻すことができる。
【００３９】
（２）オーディオプレーヤ２０の動作
図８，９は、オーディオプレーヤ２０における処理の流れを示すフローチャートである。
オーディオプレーヤ２０の制御部２１は、ユーザにより操作部２４が操作されて第２オーディオデータ２２１に基づいて放音を開始すると（ステップＳＢ１）、携帯オーディオ機器１０から送信されてきた接続情報（ステップＳＡ８又はＳＡ２３で送信されたもの）を無線通信部２３により受信して、携帯オーディオ機器１０にイヤフォン１００が接続されているか否かを判断する（ステップＳＢ２）。制御部２１は、イヤフォン１００が接続されたと判断すると（ステップＳＢ２；ＹＥＳ）、第２オーディオデータ２２１を用いて放音データを生成して、無線通信部２３により携帯オーディオ機器１０宛てに送信する（ステップＳＢ３）。ここでは、制御部２１は、第２オーディオデータ２２１をパケット化した放音データを生成して送信する。
これにより、オーディオプレーヤ２０での放音中に携帯オーディオ機器１０にイヤフォン１００が接続されたことを、ユーザがイヤフォン１００を用いてオーディオプレーヤ２０の音を聴くことを望んでいるとして、制御部２１は、この放音を携帯オーディオ機器１０に引き継がせることができる。
【００４０】
次に、制御部２１は、携帯オーディオ機器１０から送信されてきた接続情報（ステップＳＡ８又はＳＡ２３で送信されたもの）を無線通信部２３により受信して、イヤフォン１００の接続状態が変化したか否かを判断する（ステップＳＢ４）。制御部２１は、イヤフォン１００の接続状態が変化していないと判断すると（ステップＳＢ４；ＮＯ）、第２オーディオデータ２２１から第１オーディオデータ１６１に変更して放音するか否かを判断する（ステップＳＢ５）。例えば、制御部２１は、携帯オーディオ機器１０から放音データの送信が開始される場合など、自装置で第１オーディオデータ１６１に基づく放音を開始する場合（例えば、ユーザ指示）に、ステップＳＢ５処理で「ＹＥＳ」と判断することになる。
制御部２１は、ステップＳＢ５の処理で「ＮＯ」と判断した場合、第２オーディオデータ２２１に基づく放音を終了するか否かを判断する（ステップＳＢ６）。ここで、制御部２１は、この放音を継続する場合には、ステップＳＢ６の処理で「ＮＯ」と判断し、ステップＳＢ３の処理に戻る。一方、制御部２１は、ユーザの操作部２４の操作により放音を終了することが指示されたり、第２オーディオデータ２２１に従ってすべての内容を放音し終えたりすると、放音を終了すると判断し（ステップＳＢ６；ＹＥＳ）、全処理を終了する。
【００４１】
制御部２１は、ステップＳＢ３の処理に応じて放音しているときに、ステップＳＢ４の処理でイヤフォン１００の接続状態が変化したと判断すると（ステップＳＢ４；ＹＥＳ）、すなわち、携帯オーディオ機器１０とイヤフォン１００との接続が切断されたと判断すると、放音データの生成及び送信を停止する（ステップＳＢ７）。そして、制御部２１は、ステップＳＢ２の処理に戻るが、ここでは、携帯オーディオ機器１０にイヤフォン１００が接続されていないと判断することとなる（ステップＳＢ２；ＮＯ）。
【００４２】
次に、制御部２１は、ステップＳＢ２の処理で「ＮＯ」と判断すると、第２オーディオデータ２２１に基づいてスピーカ２６に放音させる（ステップＳＢ８）。次に、制御部２１は、携帯オーディオ機器１０から送信されてきた接続情報に基づいて、イヤフォン１００の接続状態が変化したか否かを判断する（ステップＳＢ９）。制御部２１は、第２オーディオデータ２２１に基づく放音中にイヤフォン１００の接続状態が変化したと判断すると（ステップＳＢ９；ＹＥＳ）、スピーカ２６での放音を停止して（ステップＳＢ１２）、ステップＳＢ２の処理に戻る。
【００４３】
制御部２１は、ステップＳＢ９の処理でイヤフォン１００の接続状態が変化していないと判断すると（ステップＳＢ９；ＮＯ）、第２オーディオデータ２２１から第１オーディオデータ１６１に変更して放音するか否かを判断する（ステップＳＢ１０）。ここでの判断は、ステップＳＢ５の処理と同じ条件に基づいて行われる。
制御部２１は、ステップＳＢ１０の処理で「ＮＯ」と判断した場合、第２オーディオデータ２２１に基づく放音を終了するか否かを判断する（ステップＳＢ１１）。ここで、制御部２１は、この放音を継続する場合には、ステップＳＢ１１の処理で「ＮＯ」と判断し、ステップＳＢ９の処理に戻る。一方、制御部２１は、放音を終了すると判断した場合（ステップＳＢ１１；ＹＥＳ）、全処理を終了する。
以上の動作手順に従えば、制御部２１はスピーカ２６に放音させるための制御を行っているときは、放音データを生成及び送信しないこととなる。つまり、オーディオプレーヤ２０は電源がオンした状態のまま、ミュート処理に移行したことに等しい。また、制御部２１は、イヤフォン１００の接続が切断された後に、その接続の開始が検知されると、イヤフォン１００の放音させるための制御を再開することになる。このようにする理由は、イヤフォン１００が携帯オーディオ機器１０に接続されたということは、ユーザが携帯オーディオ機器１０を用いて楽音を聴くことを望んでいると推測されるからである。
【００４４】
ところで、制御部２１は、ステップＳＢ５又はＳＢ１０の処理で、第２オーディオデータ２２１から第１オーディオデータ１６１に変更すると判断すると（ステップＳＢ５；ＹＥＳ又はステップＳＢ１０；ＹＥＳ）、図９に示される処理フローを実行することとなる。続いて、図９を参照しつつ、オーディオプレーヤ２０の動作を説明する。
【００４５】
制御部２１は、ステップＳＢ５又はＳＢ１０の処理で「ＹＥＳ」と判断すると、無線通信部２３により携帯オーディオ機器１０から放音データを受信して、受信した放音データ（ステップＳＡ９で送信されたもの）に従って、第１オーディオデータ１６１に基づく放音を開始する（ステップＳＢ２１）。次に、制御部２１は、携帯オーディオ機器１０から無線通信部２３により受信した接続情報に基づいて、携帯オーディオ機器１０にイヤフォン１００が接続されているか否かを判断する（ステップＳＢ２２）。ここで、制御部２１は、イヤフォン１００が接続されていると判断すると（ステップＳＢ２２；ＹＥＳ）、イヤフォン１００の接続状態が変化したか否かを判断する（ステップＳＢ２３）。制御部２１は、イヤフォン１００の接続状態が変化していないと判断すると（ステップＳＢ２３；ＮＯ）、第１オーディオデータ１６１から第２オーディオデータ２２１に変更して放音するか否かを判断する（ステップＳＢ２４）。
制御部２１は、ステップＳＢ２４の処理で「ＮＯ」と判断した場合、第１オーディオデータ１６１に基づく放音を終了するか否かを判断する（ステップＳＢ２５）。ここで、制御部２１は、この放音を継続する場合には、ステップＳＢ２５の処理で「ＮＯ」と判断し、ステップＳＢ２３の処理に戻る。一方、制御部２１は、放音を終了すると判断した場合（ステップＳＢ２５；ＹＥＳ）、全処理を終了する。
【００４６】
制御部２１は、ステップＳＢ２１の処理に応じてスピーカ２６で放音しているときに、ステップＳＢ２２の処理でイヤフォン１００が接続されていないと判断すると（ステップＳＢ２２；ＮＯ）、放音データを受信するとともに、第１オーディオデータ１６１に基づく放音を継続する（ステップＳＢ２６）。そして、制御部２１は、イヤフォン１００の接続状態が変化したか否かを判断する（ステップＳＢ２７）。制御部２１は、イヤフォン１００の接続状態が変化していないと判断すると（ステップＳＢ２７；ＮＯ）、第１オーディオデータ１６１から第２オーディオデータ２２１に放音に変更して放音する否かを判断する（ステップＳＢ２８）。
【００４７】
制御部２１は、ステップＳＢ２８の処理で「ＮＯ」と判断した場合、第１オーディオデータ１６１に基づく放音を終了するか否かを判断する（ステップＳＡ２９）。ここで、制御部２１は、この放音を継続する場合には、ステップＳＢ３０の処理で「ＮＯ」と判断し、ステップＳＢ２６の処理に戻る。一方、制御部２１は、放音を終了すると判断すると（ステップＳＢ２９；ＹＥＳ）、全処理を終了する。
なお、制御部２１は、ステップＳＢ２７の処理でイヤフォン１００の接続状態が変化したと判断すると（ステップＳＢ２７；ＹＥＳ）、スピーカ２６での放音を停止して（ステップＳＢ３０）、ステップＳＢ２の処理に戻る。また、制御部２１は、ステップＳＢ２４又はＳＢ２８の処理で、第１オーディオデータ１６１から第２オーディオデータ２２１に基づく放音に変更すると判断すると（ステップＳＢ２４；ＹＥＳ又はステップＳＢ２８；ＹＥＳ）、図８に示される処理フローを実行することとなる。
これにより、例えばイヤフォン１００が携帯オーディオ機器１０から取り外されたことを契機に、制御部２１は、第２オーディオデータ２２１に基づく放音をオーディオプレーヤ２０に戻すことができる。
【００４８】
以上説明した実施形態によれば、オーディオシステム１では、携帯オーディオ機器１０におけるイヤフォン１００の接続の有無、及び音源の場所を総合的に判断して、オーディオデータに基づいて自装置で放音したり、相手方の装置に放音させたりするための制御の内容を決定する。これにより、オーディオシステム１では、ユーザが操作を行わなくとも、装置の状態からユーザにとって好ましいと考えられる放音制御の内容を判別して、各オーディオ装置の状態に応じて、ユーザの利用に適した放音制御を実現することができる。
【００４９】
［変形例］
本発明は、上述した実施形態と異なる形態で実施することが可能である。また、以下に示す変形例は、各々を適宜に組み合わせてもよい。
（変形例１）
上述した実施形態では、第１放音制御部１０５は、接続検知部１０２により接続が切断されたことが検知され、放音データの生成・送信が行われるときには、第１オーディオデータ１６１に基づいてイヤフォン１００に放音させるための制御を停止し、その後に接続検知部１０２により接続が検知されると、その制御を再開するものであった。これに代えて、第１放音制御部１０５は、接続検知部１０２により接続が切断されたことが検知され、放音データの生成・送信が行われるときにも、イヤフォン１００に放音させるための制御を継続してもよい。この場合、第１放音制御部１０５は、放音の音量を下げるなど、放音に要する携帯オーディオ機器１０の消費電力を低減させることが好ましい。また、第２放音制御部２０４は、接続情報に基づいてイヤフォン１００の接続が開始されたと判断すると、第２オーディオデータ２２１に基づいてイヤフォン１００に放音させるための制御を停止していたが、自装置での放音を継続してもよい。この場合、第２放音制御部２０４は、放音の音量を下げるなど、放音に要するオーディオプレーヤ２０の消費電力を低減させることが好ましい。
【００５０】
（変形例２）
携帯オーディオ機器１０及びオーディオプレーヤ２０が放音データを生成・送信する場合の条件として、相手方の装置が所定の動作モードである（送受信モードである）という条件をさらに含めてもよい。上述した実施形態では、送信側の装置が放音データを生成・送信する条件を満たしたときに、相手方の装置はそれに追従して送受信モードに設定していたが、その装置が送受信モードでないときは、放音データに基づく放音制御を行わない、という具合である。
【００５１】
（変形例３）
上述した実施形態において、オーディオプレーヤ２０は、携帯オーディオ機器１０にイヤフォン１００が接続されない状態から接続された状態に変化したときには、自装置の電源をオフしてもよい。携帯オーディオ機器１０にイヤフォン１００が新たに接続された場合とは、ユーザがこれから携帯オーディオ機器１０を用いて音楽を聴く可能性が高いから、第２オーディオデータ２２１に基づく放音を期待しない可能性が高いからである。これにより、オーディオプレーヤ２０の消費電力を低減させることができる。
【００５２】
携帯オーディオ機器１０及びオーディオプレーヤ２０内のオーディオデータは、上記実施形態のものに限定されない。例えば、携帯オーディオ機器１０及びオーディオプレーヤ２０内のオーディオデータは、自装置に内蔵又は外部接続されたハードディスク装置や光ディスク等の記憶媒体から読み出されたものであってもよいし、いわゆるライン入力により入力されるものであってもよい。要するに、携帯オーディオ機器１０及びオーディオプレーヤ２０内のオーディオデータは、放音データ以外のオーディオデータであって、何らかの方法で各装置内に取り込まれたオーディオデータであればよい。
【００５３】
（変形例４）
上述した実施形態のイヤフォン１００は有線接続によって接続端子１５に接続されていたが、放音機器が無線接続により携帯オーディオ機器１０と接続されてもよい。この場合、「接続」とは、携帯オーディオ機器１０と放音機器との間に無線通信路が確立され、携帯オーディオ機器１０による放音制御に応じて放音機器で放音することが可能な状態をいう。この場合、例えば、放音機器の電源のオンオフによっても携帯オーディオ機器１０と放音機器との接続状態が変化することになる。
以上のように、本発明の「接続」とは、放音機器がオーディオ装置の制御に従って放音できる状態ということもできる。
【００５４】
（変形例５）
本発明のオーディオ装置において、携帯オーディオ機器１０は、スマートフォン以外の端末であってもよく、例えば、携帯電話機やモバイルコンピュータ、携帯型音楽プレーヤなど、イヤフォン等の放音機器を接続することが可能であり無線通信を行うことのできる種々の装置とすることができる。また、オーディオプレーヤ２０は、例えばパーソナルコンピュータ、ステレオ、テレビなどであってもよい。要するに、本発明のオーディオ装置は、無線通信に必要なデバイスを備えるとともに、上記放音データの生成・送信、及び相手方から受信した放音データに従った放音を行うことができるものであればよい。
【００５５】
（変形例６）
上述した実施形態における携帯オーディオ機器１０の制御部１１や、オーディオプレーヤ２０の制御部２１によって実行されるプログラムは、磁気記録媒体（磁気テープ、磁気ディスク（ＨＤＤ、ＦＤ）など）、光記録媒体（光ディスク（ＣＤ、ＤＶＤ）など）、光磁気記録媒体、半導体メモリなどのコンピュータ読み取り可能な記録媒体に記録した状態で提供し得る。また、インターネットのようなネットワーク経由でダウンロードさせることも可能である。また、制御部１１や制御部２１がプログラムを実行することによって実現される機能は、１又は複数のソフトウェアにより実現されてもよいし、１又は複数のハードウェアにより実現されてもよい。
【符号の説明】
【００５６】
１…オーディオシステム、１０…携帯オーディオ機器、１００…イヤフォン、１０１…第１取得部、１０２…接続検知部、１０３…接続情報送信部、１０４…第１オーディオ受信部、１０５…第１放音制御部、１０６…第１オーディオ送信部、１１…制御部、１２…ＵＩ部、１３…無線通信部、１４…音声入出力部、１５…接続端子、１６…記憶部、２０…オーディオプレーヤ、２０１…第２取得部、２０２…接続情報受信部、２０３…第２オーディオ受信部、２０４…第２放音制御部、２０５…第２オーディオ送信部、２１…制御部、２２…ディスクドライブ、２３…無線通信部、２４…操作部、２５…表示部、２６…スピーカ
【図１】
2012114851.tif 000003
【図２】
2012114851.tif 000004
【図３】
2012114851.tif 000005
【図４】
2012114851.tif 000006
【図５】
2012114851.tif 000007
【図６】
2012114851.tif 000008
【図７】
2012114851.tif 000009
【図８】
2012114851.tif 000010
【図９】
2012114851.tif 000011